(57)【特許請求の範囲】
【請求項１】
以下の構成Ａ乃至Ｆを有する受発注製品図面の検討システム。
Ａ．サーバーと端末機とが通信回線網を介して接続されている。
Ｂ．上記サーバーの画面を端末機の画面に同期表示する画面共有システムを構築している。
Ｃ．上記画面共有システムを介しサーバーの画面に受発注製品図面を表示すると共に、該サーバーの画面上の受発注製品図面を解像度を変えずに色深度を縮小して端末機に画面自動転送し同端末機の画面に同期表示する。
Ｄ．上記サーバーが該サーバー及び端末機の画面上に同期表示された受発注製品図面を修正するためのＣＡＤプログラムを有し、該ＣＡＤプログラムによりサーバー又は端末機の画面上の受発注製品図面を用いてサーバーの画面上の受発注製品図面に修正を加え、該修正されたサーバーの画面上の受発注製品図面を上記画面共有システムを介し端末機に画面自動転送し同端末機の画面に同期表示する。
Ｅ．サーバーと端末機間において上記受発注製品図面に関し音声にて質疑応答する通話手段を有する。
Ｆ．上記マークを付し且つ修正したサーバーの画面上の受発注製品図面をサーバーの記憶部にデータベースとして保存し履歴管理を行う。
【発明の詳細な説明】
【０００１】
【発明の属する技術分野】
本発明は発注者と受注者間における受発注製品図面の検討を通信回線網を介して行う、受発注製品図面の検討システムに関する。
【０００２】
【従来の技術】
発注者が単数又は複数の受注者に特定の製品（部品を含む）を発注する場合、発注者又は受注者の何れかが受発注製品図面を作図し、これを紙媒体或いは電子媒体の形で送付し、両者がこれを閲覧しつつ電話にて質疑応答して修正箇所を伝え、後日再び修正図面を送付し、再び同様の電話による修正作業を繰り返すか、互いに会して最終製作図面を決定するという方法が採られていた。
【０００３】
【発明が解決しようとする課題】
従って初期図面の立ち上げから最終図面の決定に至るまでに多大な時間と労力を要し、非能率的であったばかりか、電話によるやり取りでは修正箇所や内容の理解に齟齬が生じ、所期の製品仕様を満たさない等の問題を有していた。
【０００４】
【課題を解決するための手段】
本発明はこれらの問題を抜本的に解決する受発注製品図面の検討システムを提供するものである。この受発注製品図面の検討システムは以下の構成Ａ乃至Ｆを有する。
Ａ．サーバーと端末機とが通信回線網を介して接続されている。
Ｂ．上記サーバーの画面を端末機の画面に同期表示する画面共有システムを構築している。
Ｃ．上記画面共有システムを介しサーバーの画面に受発注製品図面を表示すると共に、該サーバーの画面上の受発注製品図面を端末機に画面自動転送し同端末機の画面に同期表示する。
Ｄ．上記サーバーが該サーバー及び端末機の画面上に同期表示された受発注製品図面を修正するためのＣＡＤプログラムを有し、該ＣＡＤプログラムによりサーバー又は端末機の画面上の受発注製品図面を用いてサーバーの画面上の受発注製品図面に修正を加え、該修正されたサーバーの画面上の受発注製品図面を上記画面共有システムを介し端末機に画面自動転送し同端末機の画面に同期表示する。
Ｅ．サーバーと端末機間において上記受発注製品図面に関し音声にて質疑応答する通話手段を有する。
Ｆ．上記マークを付し且つ修正したサーバーの画面上の受発注製品図面をサーバーの記憶部にデータベースとして保存し履歴管理を行う。
【０００５】
上記画面共有システムを活用せる受発注製品図面の検討システムの採用によって、受発注者間における受発注製品図面の作成が正確且つ能率的に実行でき、ひいては製品の納期を著しく短縮化し、業界における受発注取引システムの抜本的改革をもたらす。
【０００６】
又上記Ｃにおいてサーバーの画面上の受発注製品図面を解像度を変えずに色深度を縮小して端末機に画面自動転送する。これによりサーバーの画面上の受発注製品図面の鮮明度を落とすことなく、端末機の上記同期表示時におけるサーバーと端末機間の時間的ずれを解消でき、画面共有システムによる受発注製品図面の検討システムが有効に運用できる。
【０００７】
又サーバーにおいて上記受発注製品図面と一緒に図番及び図面検討者並びに修正日時を特定する情報をデータベースとして保存し上記履歴管理を行う。これにより試作品の検証において修正図面の更新履歴を参照することにより、その是非を適切に把握し、所期の完成製品を得ることができる。
【０００８】
【発明の実施の形態】
以下本発明に係る受発注製品図面の検討システムの実施の形態を図１乃至図４に基づき説明する。
【０００９】
この受発注製品図面の検討システムにおいては図１，図２に示すように、発注者のサーバーＳと単数又は複数の受注者の端末機Ｐ１，Ｐ２，Ｐ３とが通信回線網１を介して接続されている。
【００１０】
上記サーバーＳと端末機Ｐ１，Ｐ２，Ｐ３とは画面共有プログラム３を保有し、該サーバーの画面２を受注者の端末機Ｐ１，Ｐ２，Ｐ３において遠隔操作し、サーバーＳと端末機Ｐ１，Ｐ２，Ｐ３の画面２，５に同期表示する画面共有システムを構築している。
【００１１】
上記画面共有プログラムとしてはマイクロソフト社のネットミーティング（商品名）、ＩＢＭ社のデスクトップオンコール（商品名）、シマンテック社のｐｃＡＮＹＷＨＥＲＥ（商品名）に代表されるものが公知であり、本発明の画面共有プログラム３はこれらの応用に係る。
【００１２】
上記画面共有プログラム３を介して画面共有システムを構築し、該画面共有システムを介し発注者のサーバーＳの画面２に受発注製品図面４を表示すると共に、該発注者のサーバーＳの画面２上の受発注製品図面４を受注者の端末機Ｐ１，Ｐ２，Ｐ３に画面自動転送し同端末機Ｐ１，Ｐ２，Ｐ３の画面５に同期表示する。
【００１３】
上記発注者のサーバーＳの画面２上の受発注製品図面４は、色深度縮小プログラム１３を介して解像度を変えずに色深度を縮小して受注者の端末機５に画面自動転送する。
【００１４】
画像情報（受発注製品図面４）の色深度は１６ｂｐｐならば６５５３６色、２４ｂｐｐならば１６７７７２１６色、３２ｂｐｐならば１６７７７２１６色＋αチャネル２５６階調となるが、上記色深度縮小プログラム１３により、この色深度を例えば１２８〜２５６色程度に減色（縮小）し、転送スピードを上げながら、しかも鮮明な受発注製品図面４を送信し検討に資する。
【００１５】
上記サーバーＳは該サーバーＳ及び端末機Ｐ１，Ｐ２，Ｐ３の画面２及び５上に同期表示された受発注製品図面４に検討箇所特定のためのマーク７を付するマーキングプログラム６を有する。
【００１６】
上記マーキングプログラム６により発注者又は受注者がサーバーＳ又は端末機Ｐ１，Ｐ２，Ｐ３の画面２又は５上の受発注製品図面４を参照しつつキーボード１４とマウスを用いて、図４Ａに示すように、発注者のサーバーＳの画面２上の受発注製品図面４にマーク７を付し、該マーク７が付された発注者のサーバーＳの画面２上の受発注製品図面４を上記画面共有システムを介し受注者の端末機Ｐ１，Ｐ２，Ｐ３に画面自動転送し同端末機Ｐ１，Ｐ２，Ｐ３の画面５に同期表示する。
【００１７】
上記発注者のサーバーＳの画面２上のマーク７を付した受発注製品図面４は、解像度を変えずに色深度を縮小して受注者の端末機５に画面自動転送する。
【００１８】
又上記サーバーＳは該サーバーＳ及び端末機Ｐ１，Ｐ２，Ｐ３の画面２及び５上に同期表示された受発注製品図面４を修正するためのＣＡＤプログラム８を有する。
【００１９】
上記ＣＡＤプログラム８により発注者又は受注者がサーバーＳ又は端末機Ｐ１，Ｐ２，Ｐ３の画面２又は５上の受発注製品図面４を参照しつつ、図４Ｂに示すように、発注者のサーバーＳの画面２上のマーク７内の受発注製品図面４部分に修正を加え、該修正された発注者のサーバーＳの画面２上の受発注製品図面４を上記画面共有システムを介し受注者の端末機Ｐ１，Ｐ２，Ｐ３に画面自動転送し同端末機Ｐ１，Ｐ２，Ｐ３の画面５に同期表示する。
【００２０】
上記発注者のサーバーＳの画面２上のマーク７を付し且つ修正図７′を含む受発注製品図面４は、解像度を変えずに色深度を縮小して受注者の端末機５に画面自動転送する。
【００２１】
更に発注者のサーバーＳと受注者の端末機Ｐ１，Ｐ２，Ｐ３間において上記受発注製品図面４に関し音声にて質疑応答する通話手段９を有し、受発注者は各画面２，５上の受発注製品図面４を参照しつつ、質疑応答によりマーク７を付し修正を加える作業等を行う。
【００２２】
サーバーＳ及び端末機Ｐ１，Ｐ２，Ｐ３には既知の音声デバイス１１を差し込み、インターネットプロトコルを使用した双方向音声通信システム（通話手段９）を構成しており、ハンズフリーで通話を行い、上記画面共有システムと協働せしめる。
【００２３】
上記作業を繰り返し受発注製品図面４を完成する。この図面４にはマーク７とマーク７内の修正図７′を描画している。
【００２４】
上記マーク７と修正図７′を含むサーバーＳの画面２上の受発注製品図面４を、サーバーＳの図面履歴記憶部１０にデータベースとして保存し履歴管理を行う。
【００２５】
上記修正を加えた受発注製品図面４と一緒に図番及び図面検討者並びに修正日時を特定する情報を上記図面履歴記憶部１０にデータベースとして保存し上記履歴管理を行う。
【００２６】
以下図３のフローチャートに基づき受発注製品図面の検討システムを更に詳細に説明する。
【００２７】
図３に示すように、発注者はサーバーＳを起動してＩＰアドレスを取得し画面２に表示する。次に受注者を管理するためのパスワードを設定して入力し、受注者からの接続待機状態を形成する。
【００２８】
他方上記発注者のＩＰアドレスとパスワードは電話やＦＡＸや電子メール等により受注者に告知する。受注者はこの告知を受け端末機Ｐ１，Ｐ２，Ｐ３にこのＩＰアドレスとパスワードを入力しサーバーＳに送信する。
【００２９】
上記端末機Ｐ１，Ｐ２，Ｐ３から送信されたＩＰアドレスとパスワードと、サーバーＳにおいて設定し入力したＩＰアドレスとパスワードとの一致不一致を照合し、一致しない場合にはエラーメッセージを端末機Ｐ１，Ｐ２，Ｐ３に発し、再入力を促す。
【００３０】
又照合の結果、一致する場合には画面共有システムによる受発注製品図面４の検討作業に移行する。先ず発注者はサーバーＳの製品図面記憶部１２に格納されているデータベースから検討対象となる受発注製品図面４を読み込み画面２に表示する。
【００３１】
上記画面２に受発注製品図面４を表示すると同時に、上記画面共有システムによって同画面２上の受発注製品図面４が自動的に端末機Ｐ１，Ｐ２，Ｐ３に送信され、その画面５上に同期表示される。
【００３２】
上記発注者のサーバーＳから端末機Ｐ１，Ｐ２，Ｐ３へ自動転送される受発注製品図面４は、図２の色深度縮小プログラム１３を介して解像度を変えずに色深度を縮小して受注者の端末機５に画面自動転送する。
【００３３】
次に受注者が端末機Ｐ１，Ｐ２，Ｐ３において画面５を参照しつつ、サーバーＳの画面２を遠隔操作し、通話手段９を用いて質疑応答しつつ、マーキングプログラム６によりサーバーＳの画面２上の受発注製品図面４に修正箇所を特定するマーク７を付すると共に、マーク７内の図面部に修正を加える。７′は修正図を示す。
【００３４】
又は発注者がサーバーＳの画面２を参照し、通話手段９を用いて質疑応答しつつ、マーキングプログラム６により画面２上の受発注製品図面４に修正箇所を示すマーク７を付すると共に、マーク７内の図面部に修正を加える。
【００３５】
上記発注者がなした操作情報を含む受注者がなした遠隔操作情報はサーバーＳと端末機Ｐ１，Ｐ２，Ｐ３間において同期処理される。即ち上記マーク７が付され且つ修正がなされた発注者のサーバーＳの画面２上の受発注製品図面４を上記画面共有システムを介し受注者の端末機Ｐ１，Ｐ２，Ｐ３に画面自動転送し、同端末機Ｐ１，Ｐ２，Ｐ３の画面５に同期表示する。
【００３６】
上記発注者のサーバーＳの画面２上のマーク７を付した受発注製品図面４、及びマーク７を付し且つ修正した受発注製品図面４は、解像度を変えずに色深度を縮小して受注者の端末機５に画面自動転送する。
【００３７】
上記作業を繰り返し受発注製品図面４を完成する。この図面４にはマーク７とマーク７内の修正図７′を描画している。
【００３８】
上記マーク７と修正図７′を含むサーバーＳの画面２上の受発注製品図面４を、サーバーＳの図面履歴記憶部１０にデータベースとして保存し履歴管理を行う。
【００３９】
更に上記修正を加えた受発注製品図面４と一緒に図番及び図面検討者並びに修正日時を特定する情報を上記図面履歴記憶部１０にデータベースとして保存し上記履歴管理を行う。
【００４０】
上記受発注製品図面の検討システムはサーバーＳと単数又は複数の端末機Ｐ１，Ｐ２，Ｐ３間において実施される。
【００４１】
【発明の効果】
上記画面共有システムを活用せる受発注製品図面の検討システムの採用によって、受発注者間における受発注製品図面の作成が正確且つ能率的に実行でき、ひいては製品の納期を著しく短縮化し、業界における受発注取引システムの抜本的改革をもたらす。
【００４２】
又サーバーの画面上の受発注製品図面の鮮明度を保ちつつ、サーバーと端末機間の時間的ずれを解消し、画面共有システムによる受発注製品図面の検討システムが有効に運用できる。
【００４３】
又試作品の検証において修正図面の更新履歴を参照することにより、その是非を適切に把握し、所期の完成製品の制作に資することができる。
【図面の簡単な説明】
【図１】受発注製品図面の検討システムの概略構成図。
【図２】上記システムの具体構成を示すブロック図。
【図３】上記システムの動作を示すフローチャート。
【図４】上記システムを用いた受発注製品図面の修正を説明するサーバーと端末機の画面を表す図であり、Ａは修正前、Ｂは修正後を示す。
【符号の説明】
１…通信回線網、２…サーバーの画面、３…画面共有プロフラム、４…受発注製品図面、５…端末機の画面、６…マーキングプログラム、７…マーク、７′…修正図、８…ＣＡＤプログラム、９…通話手段、１０…図面履歴記憶部、１１…音声デバイス、１２…製品図面記憶部、１３…色深度縮小プログラム、１４…キーボード、Ｓ…サーバー、Ｐ１，Ｐ２，Ｐ３…端末機
【図１】
0003742352.tif 000002
【図２】
0003742352.tif 000003
【図３】
0003742352.tif 000004
【図４】
0003742352.tif 000005